(57)【要約】      （修正有）【課題】スーパーマーケット等でのＰＯＳシステムにおける、買物籠の移動がスムーズに行え、且つ、奥行寸法も最小限で済む小型化可能なレジ台を提供する。【解決手段】買物籠Ｅが乗る程度の狭い奥行きの細長い天板２４とその下方の本体２３とからなるレジ台２２と、それを跨ぐ形態の片持ち式のフレーム２６を取り付けたフレーム付きレジ台２１とした。そして、フレーム２６の上部２８には表示操作装置受け台９を設けて表示操作装置Ｍを取り付け、それとＰＯＳ端末Ｐとをコードで接続することにより、ＰＯＳシステムの部材として活用することができる。尚、フレームは両持ちタイプでもよく、フレームの内部に接続コードを収納できるようにしてもよい。【選択図】図５
2019106085.tif 000002
【特許請求の範囲】
【請求項１】
ＰＯＳシステムに使用するレジ台であって、その荷受け面の上方を跨ぐ形態でなるフレームを形成させることにより、上記ＰＯＳシステムにおける表示操作装置を吊下げる形態で取り付けることを可能としたことを特徴とする表示操作装置の取付け用フレームを備えたレジ台
【請求項２】
レジ台の荷受け面の上方を跨ぐ形態でなるフレームは、少なくとも一端を固定した構造でなることを特徴とする請求項１に記載の表示操作装置の取付け用フレームを備えたレジ台
【請求項３】
フレームは、ＰＯＳシステムにおける各種接続コードの収納部を有する断面形状となっていることを特徴とする請求項１又は請求項２に記載の表示操作装置の取付け用フレームを備えたレジ台
【請求項４】
レジ台の荷受け面の上方を跨ぐ形態でなるフレームには、ＰＯＳシステムにおける表示操作装置を吊下げる状態で取り付けるための、受け台部を設けたことを特徴とする請求項１〜３のいずれか１項に記載の表示操作装置の取付け用フレームを備えたレジ台
【請求項５】
レジ台の奥行は、買物籠の底面部の奥行が載置可能な程度の小寸法で形成されていることを特徴とする請求項１〜４のいずれか１項に記載の表示操作装置の取付け用フレームを備えたレジ台
【請求項６】
レジ台の長手方向の端部には、ショッピングカートを、その買物籠載置部で覆うことが可能に差し込むことができる抉り部が形成されていることを特徴とする請求項１〜５のいずれか１項に記載の表示操作装置の取付け用フレームを備えたレジ台
【発明の詳細な説明】
【技術分野】
【０００１】
本発明は、スーパーマーケット等に導入されているＰＯＳシステムＰＯＳシステム（ｐｏｉｎｔ  ｏｆ  ｓａｌｅｓ  ｓｙｓｔｅｍ）で使用されるレジ台に関するものである。
【背景技術】
【０００２】
従来のＰＯＳシステムは、例えば特許文献１に示されるように、レジ担当者の側方のチェックアウト台上に自動釣銭機能を有するＰＯＳ端末が配置され、レジ担当者の正面側に幅広のレジ台（カウンター台）が配置されている。
そして、レジ台（カウンター台）の荷受け面における顧客の通路側に、表示操作部を有する商品読取装置が柱状のハウジングを介して立設されている。
【先行技術文献】
【特許文献】
【０００３】
【特許文献１】特開２０１３−４５４２７号公報
【発明の概要】
【発明が解決しようとする課題】
【０００４】
しかしながら、この構成におけるＰＯＳシステムにおけるスーパーマーケット等での実際の稼働状態においては、レジ台上の買物籠は、商品読取装置に当たらないよう注意して移動しなくてはならないという不便さがあり、レジ台も、奥行寸法が買物籠の載置分以外に商品読取装置の厚さ分も必要なために大型化して設備経費が多くかかり、店舗内での配置スペースも多く必要となるという不都合が生じていた。
そこで、本発明は、これらの慢性的な不都合を改善すべく、買物籠の移動がスムーズに行え、奥行寸法も最小限で済む、小型化可能なレジ台を提供することを課題とする。
【課題を解決するための手段】
【０００５】
上記の課題を解決するための構成は、ＰＯＳシステムに使用するレジ台であって、その荷受け面の上方を跨ぐ形態でなるフレームを形成させることにより、ＰＯＳシステムにおける表示操作装置を吊下げる形態で取り付けることができる表示操作装置の取付け用フレームを備えたレジ台とすることで実現できる。
【０００６】
この構成によれば、レジ台上に表示操作装置が直施的に載置されていないため、買物籠のスライド移動がスムーズに行え、レジ台の奥行寸法も小さくすることが可能となる。
【０００７】
また、レジ台上方のフレームは、表示操作装置の配置以外にも、他の表示部として有効利用することもできる。
【０００８】
なお、レジ台の荷受け面の上方を跨ぐ形態でなるフレームは、必ずしも両端を固定する必要はなく、少なくとも一端を固定した構造で実施してもよい。
【０００９】
この場合は、レジ台上の載置面に何もないスペースをより多く形成することができるので、買物籠の移動作業をよりスムーズに行うことができる。
【００１０】
また、フレームは、ＰＯＳシステムにおける各種接続コードの収納部を有する断面形状とするのが好ましい。
【００１１】
このように形成すれば、ＰＯＳシステムにおける表示操作装置に接続する各種接続コードが、フレーム内に隠れることになるので見栄えが良く、各種接続コードがレジ作業等の妨げになることがないので好適である。
【００１２】
また、レジ台の荷受け面の上方を跨ぐ形態でなるフレームには、ＰＯＳシステムにおける表示操作装置を吊下げる状態で取り付けるための、受け台部を設けるようにすることも可能である。
【００１３】
そうすれば、ＰＯＳシステムにおける表示操作装置を、簡単に見栄え良く設置することができるができて好適である。
【００１４】
そして、レジ台の奥行は、買物籠の底面部の奥行が載置可能な程度の小寸法で形成すると利便性を向上させることができる。
【００１５】
即ち、レジ台の大きさを最小のものとすることができるので、材料費減少等により生産コストを低減させることができ、設置スペースも減少させることができるので店舗内のレイアウト上の利便性も向上させることができる。
【００１６】
さらに、レジ台の長手方向の端部には、ショッピングカートを、その買物籠載置部で覆うことが可能に差し込むことができる抉り部が形成するようにしてもよい。
【００１７】
このような構成とすれば、ショッピングカートに乗せられている買物籠をレジ台に移し替えることなく商品の精算作業ができるので、買い物客の買物籠の移し替え作業が省略できる利点が生じる。
【発明の効果】
【００１８】
本発明によれば、レジ台上に表示操作装置が直施的に載置されていないため、買物籠のスライド移動をスムーズに行うことができる。
【００１９】
また、レジ台上は買物籠が載置できる程度の奥行寸法で済むため、レジ台を小型化することができることにより、生産コストを低減させることができ、店舗内の設置スペースも減少させることもできる。
【００２０】
なお、レジ台上方のフレームの表示操作装置の配置以外に、他の表示部として活用する、二次的効果を奏じさせることもできる。
【図面の簡単な説明】
【００２１】
【図１】本発明による実施例１の斜視図を示す。
【図２】本発明による実施例２の斜視図を示す。
【図３】本発明による実施例２の分解斜視図を示す。
【図４】本発明による実施例２のＯＳ機器への取り付け手順を表わした説明図であり、（ａ）は斜視図、（ｂ）は（ａ）におけるＡ矢視図を示す。
【図５】本発明による実施例２のＯＳ機器への取り付け状態を表わした斜視図を示す。
【図６】本発明による実施例２のＯＳ機器への取り付け状態を表わし、（ａ）は図５のＢ矢視図、（ｂ）は（ａ）のＣ−Ｄ断面図を示す。
【図７】本発明による実施例２を使用した場合の買物の精算フローを示した斜視図を表わし、（ａ）は買物籠のショッピングカートからレジ台への移し替え状態、（ｂ）は買物籠内の商品の精算済み買物籠への移し替え状態、（ｃ）は精算済み買物籠の移動と新たな精算済み商品籠の設置状態、（ｄ）は精算済み買物籠のショッピングカートへの移動状態を示す。
【図８】本発明に使用するフレームの設置位置や態様の変形例の斜視図を表わしたものであり、（ａ）は第１の変形例、（ｂ）は第２の変形例、（ｃ）は第３の変形例、（ｄ）は第４の変形例を示す
【図９】本発明に使用する各種フレームと接続コードの収納状態を表わしたものであり、（ａ）は円形パイプを使用した場合の断面図、（ｂ）は角型パイプを使用した場合の断面図、（ｃ）はＣ型パイプを使用した場合の断面図、（ｄ）はチャネル材料を使用した場合の断面図、（ｅ）はアングル材料を使用した場合の断面図、（ｆ）はアングル材料と閉鎖材料を使用した場合の断面図、（ｇ）は丸棒を使用した場合の外観図を示す。
【図１０】本発明による実施例２の他の応用を表わす斜視図を示す。
【図１１】本発明による実施例３の斜視図を示す。
【図１２】本発明による実施例３におけるショッピングカート装着状態を表わし、（ａ）は斜視図、（ｂ）は正面図を示す。
【図１３】本発明による実施例３を使用した場合の買物の精算フローを示した斜視図を表わし、（ａ）ショッピングカートの装着前の状態、（ｂ）はショッピングカートを装着し買物籠内の商品の精算済み買物籠へ移し替える状態、（ｃ）は空になった買物籠と精算済み買物籠の移動状態、（ｄ）は精算済み買物籠のショッピングカートへの移動状態を示す。
【発明を実施するための形態】
【００２２】
本発明は、台上にＰＯＳシステムにおける表示操作装置を設置しない構成とすることにより、レジ台（カウンター台）上の買物籠の移動をスムーズにし、かつ、レジ台を小型化することができることを最大の特徴とするものであり、以下実施例及び変形例を用いて詳細に説明する。
【実施例１】
【００２３】
図１は、本発明による実施例１の斜視図を表わしたものであり、フレーム付きレジ台１は、レジ台２と、フレーム６とで構成されている。
【００２４】
レジ台２は、従来と同様、概略、細長の直方体で鋼板製等の材料でなる本体３と、その上方に取り付けられる合板製等の天板４とで構成されており、その天板４の片方の端部にフレーム取り付け穴５が形成されている。
なお、図１に示すように、レジ台２の奥行寸法Ｎは、買物籠Ｅの底部の短手方向の寸法Ｋよりわずかに大きい程度の狭い幅に形成されている。
【００２５】
また、フレーム６は、円形のパイプを直角状に曲げたものであり、側部７は、上述したレジ台２の天板４のフレーム取り付け穴５に差し込まれた状態で、適宜の手段で固定されている。
そして、上部８は、後述するようにＰＯＳシステムにおける表示操作装置を吊るして取り付けるために使用される。
【００２６】
なお、フレーム６の材料や、断面形状は、上述のＰＯＳシステムにおける表示操作装置の形態等に合わせて、適宜に変形して使用することが可能である。
【実施例２】
【００２７】
図２〜図７は、ＰＯＳシステムにおける表示操作装置を取り付けやすい構成とした本明の実施例２を表わしたものである。
即ち、本実施例におけるフレーム付きレジ台１１は、図２の斜視図、図３の分解斜視図、図４のＯＳ機器への取り付け手順を表わす説明図、図５及び図６のＯＳ機器への取り付け状態を表わす説明図、図７の買物の精算フローを示した斜視図に表わされるように、概略、細長の直方体状のレジ台２２と、その上面の片方の端部に取り付けられるフレーム２６からなる態様は、上述した実施例１と同様であるが、フレーム２６の上部２８の先端部に、表示装置受け台９を設けた構成が異なったものとなっている。
【００２８】
具体的には、図２の斜視図ように、概略、レジ台２２、フレーム２６、位置決め具１０、表示装置受け台９、取り付けナット１１、接続コード１２ａ、１２ｂとで構成されている。
【００２９】
そして、図３の分解斜視図に示すように、レジ台２２は、実施例１と同様に、細長の直方体で鋼板製等の材料でなる本体２３と、その上方に取り付けられる合板製等の天板２４とで構成されており、その天板２４の片方の端部にフレーム取り付け穴２５が形成されたものとなっている。
【００３０】
また、フレーム２６は、断面円形パイプを直角状に折り曲げた側部２７と上部２８とで形成され、側部２７の下端部には切り欠き２７ａが設けられ、上部２８の外面には、上記表示装置受け台９が所定位置に取り付けられるための位置決め具１０が嵌合する位置決め溝２８ａが設けられ、先端部の外周にはネジ部２８ｂが設けられる。
なお、円形パイプ内については、後述する接続コードが収まる収納部２６ｘとして使用することになる。
【００３１】
位置決め具１０は、合成樹脂製等でなり、上記のフレーム２６の位置決め溝２８ａに強制的に嵌合するようになっており、弾性変形しやすいように切り込み１０ａ等が形成されている。
【００３２】
但し、位置決め具１０は、表示操作装置受け台９を所定位置に位置決めするようにするだけの目的であるので、本実施例に限ることなく適宜の方法で実施してよく、表示装置受け台９自体に形成できれば省略しても構わない。
【００３３】
表示操作装置受け台９は、ＰＯＳシステムの表示操作装置を設置するための部材であり、本実施例においては、図４のＯＳ機器への取り付け手順を表わす説明図における、図４（ａ）の斜視図中のＡで示す方向の斜視図である図４（ｂ）に示すような、ＰＯＳシステムの表示操作装置Ｍが収納されるように形成されている。
【００３４】
なお、表示操作装置Ｍは、図４（ｂ）のように、本体Ｍａの正面にタッチパネルＭｂ、テンキーＭｃが、右側面には、ヒンジ部Ｍｆを介して、表示部Ｍｈが回動自在に取り付けられている。
また、そこでは見えない下方には読み取り部Ｍｄ（図４（ａ）参照）が、左側面には接続部Ｍｅａ，Ｍｅｂ（図４（ａ）参照）が夫々形成され、表示部Ｍｈの裏側には表示画面Ｍｇ（図４（ａ）参照）が設けられている。
【００３５】
そして、表示操作装置受け台９は、合成樹脂製等で形成され、上方にはフレーム２６の上部２８が挿通する挿入穴９ａが形成されると共に、その下方には図４のＯＳ機器への取り付け手順を表わす説明図における、（ａ）の斜視図中のＡで示す方向の斜視図（ｂ）に示すように、上述した表示操作装置Ｍの下端に設けられた読み取り部Ｍｄが貫通する読み取り穴９ｃが設けられ、且つ下部を覆う抜け止め壁９ｄが形成された収納部９ｂが形成されている。
【００３６】
なお、表示操作装置受け台９における、フレーム２６の上部２８の取り付けに際して、表示操作装置受け台９が任意の角度で停止できるよう、その挿入穴９ａには、図示しないが、摩擦力の高い材料や、汎用の停止構造を搭載するようにして実施するのが、好ましい対応となる。
【００３７】
取り付けナット１１は、上述した表示操作装置受け台９を、フレーム２６の上部２８に固定するための部材であり、合成樹脂、金属等適宜の材料を用い、その内面には、上述したフレーム２６の上部２８の先端に形成されたネジ部２８ｂに螺合する図示しないネジ部が形成されている。
なお、ネジ部の底面には穴部１１ａが貫通して設けられている。
【００３８】
接続コード１２ａ，１２ｂは、上述した表示操作装置Ｍと、後述するＰＯＳ端末とを接続するためのコードであり、先端には、夫々、表示操作装置Ｍに接続するための接続端子１３ａ，１３ｂが取り付けられている。
【００３９】
以上の構成でなるフレーム付きレジ台２１を組み立てるには、図３の分解斜視図における矢印で示すように、先ず、フレーム２６の上部２８の位置決め溝２８ａに、位置決め具１０を強制的に取り付ける。
【００４０】
その状態で、フレーム２６の上部２８に、表示操作装置受け具９を、上部に形成した挿入穴９ａを使って差し込む。
すると、フレーム２６の上部２８先端のネジ部２８ｂが露出するので、そこに取り付けナット１１をねじ込むと、表示操作装置受け具９が、位置決め具１０で移動が止められた状態で、フレーム２６に固定されることになる。
【００４１】
次に、接続コード１２ａ，１２ｂの解放された一端を、取り付けナット１１の穴部１１ａから差し込み、フレーム２６内の収納部２６ｘを通過させて、側部２７の先端部に設けた切り欠き２７ａから露出させ、先端に取り付けた接続端子１３ａ，１３ｂが取り付けナット１１の穴部１１ｂに近づく状況となるまで引っ張り出すようにして、接続コード１２ａ，１２ｂをフレーム２６内に収納させる。
【００４２】
なお、接続コード１２ａ，１２ｂをフレーム２６内に収納させる方法は、上記手順によることなく、あらかじめ接続コード１２ａ，１２ｂをフレーム２６内に収納させたものを使用したり、接続コード１２ａ，１２ｂを通しやすくするため、フレームを分割して組み立てるようにする等適宜の手段で実施しても問題はない。
【００４３】
そして、接続コード１２ａ，１２ｂを引き出した状態のフレーム２６の側部２７を、レジ台２２の天板２４のフレーム取り付け穴２５に差し込んだ状態で、レジ台２２に適宜の方法で固定し、さらに、接続コード１２ａ，１２ｂの一端をレジ台２２から露出させれば、フレーム付きレジ台２１が完成することになる。
【００４４】
図４は、フレーム付きレジ台２１の完成状態の外観と、ＯＳ機器への取り付け手順を表わす説明図であり、図４（ａ）は斜視図、図４（ｂ）は図４（ａ）におけるＡ矢視図を示している。
【００４５】
なお、ここでは、図３で表した接続コード１２ａ，１２ｂの一端にも夫々、接続端子１４ａ，１４ｂを取り付けたものとして仕上げている。
また、図中、ＰはＰＯＳ端末を示しており、Ｐａはチェックアウト台、Ｐｂは自動釣銭機、Ｐｃは接続コード接続部を示している。
【００４６】
この状態から、表示操作装置Ｍを、表示操作装置受け具９に対して矢印のように差し込んで、その接続部Ｍｅａ、Ｍｅｂに、取り付けナット１１の穴部１１から露出している接続コード１２ａ、１２ｂの接続端子１３ａ，１３ｂを接続させる。
【００４７】
さらに、レジ台２２から露出している接続コード１２ａ、１２ｂの接続端子１４ａ，１４ｂを、チェックアウト台Ｐａに設けている接続コード接続部Ｐｃに取り付け、ＰＯＳ端末Ｐと接続する。
【００４８】
すると、図５のＯＳ機器への取り付け状態を表した斜視図や、図６（ａ）に表す図５におけるＢ方向からの正面図、図６（ａ）におけるＣ−Ｄ断面図を表わす図６（ｂ）に示すように、好適なＰＯＳシステムとして使用可能な状態に仕上がることになる。
【００４９】
先ず、表示操作装置Ｍは、図６（ａ）及び図６（ｂ）に示すように、表示操作装置受け台９の収納部９ｂに対し、タッチパネルＭｂ及びテンキーＭｃが正面に表れ、読み取り部Ｍｄは読み取り穴９ｃから露出させ、下部を抜け止め壁９ｄで囲障しているので、操作可能に、且つ、抜け出し不能に取り付けられる。
【００５０】
従って、図５のＯＳ機器への取り付け状態を表した斜視図のように、本体２３と天板２４とからなるレジ台２２に、片持ち式のフレーム２６を取り付けたフレーム付きレジ台２１を使用し、上述したように、フレーム２６の上部２８に設けた表示装置受け台９に表示操作部Ｍを取り付けると、この表示操作装置Ｍは接続コード１２ａ，１２ｂを介してＰＯＳ端末Ｐと接続されているので、ＰＯＳシステムとして使用可能な状態となる。
【００５１】
なお、図中Ｑはバーコードスキャナーであり、表示操作装置Ｍの読み取り部Ｍｄを使わなくても読み取りが可能となっている。
【００５２】
また、Ｅは買物籠であり、これを載置するためのレジ台２２の天板２４の奥行寸法は、これまで説明した通り、買物籠Ｅより若干大きい程度の小さな寸法で実施することができる。
【００５３】
次に、本実施例のＰＯＳシステムにおける使用状況について説明する。
【００５４】
図７は、買物の精算フローの斜視図を示したものである。
先ず、図７（ａ）に示すように、顧客Ｈａが、ショッピングカートＧをレジ台２２の前面に移動させた状態で、ショッピングカートＧの上棚部Ｇａに載っている購入商品Ｆａの入った買物籠Ｅをレジ台２２の天板２４上に移動させる。
【００５５】
すると、図７（ｂ）に示すように、レジ担当者Ｊは、あらかじめ用意されている精算用買物籠Ｅａに、購入商品Ｆａを移し替えると共に、バーコードスキャナーＱ、表示操作装置Ｍ、ＰＯＳ端末Ｐの自動釣銭器Ｐｂ等を操作して精算を行う。
【００５６】
次に、図７（ｃ）に示すように、レジ担当者Ｊは、レジ台２２の天板２４上の購入商品Ｆａの入った買物籠Ｅａを、顧客の移動方向にずらすと共に、空になった買物籠を新たな精算用買物籠Ｅａとして準備する。
それと同時に顧客Ｈａは、ショッピングカートＧを、上記のレジ台２２の天板２４上にある購入商品Ｆａの入った買物籠Ｅａの前まで移動させる。
【００５７】
そして、図７（ｄ）に示すように、顧客Ｈａは、ショッピングカートＧの上棚部Ｇａに購入商品Ｆａの入った精算用買物籠Ｅａを移し替えた状態で精算場所から離れることになる。
ちなみに、この時には、図に示すように、別の顧客Ｈｂが、ショッピングカートＧ上の購入商品Ｆｂの精算のために待機しており、以下同様な精算サイクルが繰り返し行われることになる。
【００５８】
なお、上記の説明は、ショッピングカートＧを使用する状態で行ったが、ショッピングカートＧを使用しなくても同様な精算が行われることは言うまでもない。
【００５９】
以上説明したように、本実施例を使用したＰＯＳシステムにおいては、レジ台２２の天板２４上に表示操作装置が設置されていないため、買物籠の移動がスムーズに行える効果がある。
また、レジ台２２の天板２４の奥行寸法も買物籠が載ればよいものであれば済むので、小型化が可能となり、生産コストを低減できると共に、設置スペースも少なくて済むので、レイアウト上の利点も生じることになる。
【００６０】
本発明に使用するフレームの位置や形態は、実施例１に開示した形態に限ることなく変形して実施することが可能である。
図８は、その一例を示した斜視図であり、図８（ａ）は第１の変形例、図８（ｂ）は第２の変形例、図８（ｃ）は第３の変形例、図８（ｄ）は第４の変形例を示している。
【００６１】
具体的には、図８（ａ）においては、フレーム６の側部７をレジ台２の天板４における設置位置を奥行き方向の片側の隅に設けている。
また、図８（ｂ）においては、フレーム６の設置位置を、顧客の進行方向の先端側で奥行方向の中央に設けている。
なお、図８（ｃ）のように、フレーム６aは片持ち形状ではなく、側部７ａ、７ａ’を有する両持ち形状としてもよい。
さらに、図８（ｄ）のように、片持ちのフレーム６ｂを対称状態に２つ使い、その側部７ｂ，７ｂを天板４に取り付けて、使用状態にて、両持ち状にして使用することも可能である。
【００６２】
このように、フレームの位置や形態は、用途に応じて各種に変形して実施することができる。
【００６３】
また、本発明に使用するフレームの断面形状は適宜に選択することができ、コードの収納方法も、それに合うように実施すればよい。
図９は、それらの態様を示したものである。
なお、各図中の６ｘは、コードの収納部であることを示している。
【００６４】
図９（ａ）は、実施例２と同様に円形パイプ状のフレームを使用し、そこに接続コード１２ａ、１２ｂを収容した断面図を表わしたものである。
また、図９（ｂ）は、角型パイプ６ｃのフレームを使用した場合の断面図を表わしたものである。
【００６５】
なお、図９（ｃ）はＣ型材料６ｄを使用した場合の断面図、図９（ｄ）はチャネル材料６ｅを使用した場合の断面図を表わした場合を示したものであり、これらの材料を使用すると、周囲の一部が解放されているだけなので、見栄えを大きく損なうことなく、接続コード１２ａ、１２ｂが収納できるという利点がある。
【００６６】
また、図９（ｅ）の断面図ようにアングル材料６ｆを使用してもよく、その場合は、図９（ｆ）の断面図ように、カバー部材１５にて解放面を塞ぐようにして実施することもできる。
【００６７】
さらに、空洞のない無垢の材料６ｇを使用する場合は、図９（ｆ）の外観図に示すように接続コード１２ａ、１２ｂを巻き付けるようにして収納すればよい。
【００６８】
本発明は、レジ台の上方を跨ぐ形態のフレームを使用する構成となっているが、そこに設置する表示操作部以外の部分を利用する二次的効果を奏させることもできる。
図１０は、その応用例の斜視図を示したものであり、フレーム付きレジ台２１ａのフレームは、図８（ｄ）のように片持ちのフレーム６ｂを２つ使い、側部７ｂ，７ｂを取り付けた時に形成される上部８ｂ，８ｂ間に表示操作装置受け台９を設けた際、その両側に生じるスペースに対し、掲示物１６ａ，１６ｂを取り付けた状況を示している。
【００６９】
このように、本発明においては、フレームの上部に表示操作装置配置以外の余剰スペースが生じるので、そこに広告表示する等、有効利用することができる。
【００７０】
なおその場合、表示操作装置受け台の背面も利用すれば、さらに多くの活用も期待できることになる。
【実施例３】
【００７１】
本発明のフレーム付きレジ台は、これまで、レジ台が天板とそれより僅かに小さな面積でなる本体とで形成される状態で説明してきたが、それに限らず変形して実施することも可能である。
【００７２】
実施例３は、その一例を示したものであり、図１１の斜視図に表されるように、フレーム付きレジ台３１におけるレジ台３２は、本体３３と天板３４とで構成されるが、本体３３の前方には、後述するショッピングカートを差し込むことが可能な抉り部３２ａが形成されている点が、これまで説明した実施例や変形例と異なっている。
なお、図中、３６はフレーム、３５はレジ台３２の天板３４の端面ギリギリに形成されるフレーム取り付け穴、３３ａはフレーム３６の露出を防ぐためのカバー板を示す。
【００７３】
また、本実施例の具体的な活用状況については、図１２（ａ）のショッピングカート装着状態の斜視図、また図１２（ｂ）のショッピングカート装着状態の正面図に表されるように、レジ台３２における本体３３の前方に形成されている抉り部３２ａに、ショッピングカートＧが、その下棚部Ｇｂが入り込むように差し込まれるような状況で使用される。
【００７４】
この状態では同時に、ショッピングカートＧの上棚部Ｇａがレジ台３２の天板３４の前方の上方を覆うような状況になっているので、その上に載っている買物籠Ｅは、図中の矢印で示すように、前方に滑らすだけで、簡単にレジ台３２の天板３４上に移し替えることができることになる。
従って、買物籠の移し替えに要する労力が、これまで説明してきたものと比較して軽減できる効果を奏することができる。
【００７５】
なお、本実施例においては、表示操作装置Ｒは、本実施例のフレーム付きレジ台３１のフレーム３６に、表示操作装置受け台を使用することなく直接的に取り付ける専用タイプの態様を示している。
【００７６】
この場合には、図に示すように表示画面Ｍｇａを背面に直接表示したり、商品の読み取りにはＲＦＩＤ（ｒａｄｉｏ  ｆｒｅｑｕｅｎｃｙ  ｉｄｅｎｔｉｆｉｅｒ）リーダーＳ単独、又はバーコード読み取り装置単独、或いは両者併用タイプを使用する等適宜に選択し実施することが可能となる。
【００７７】
なお、図１３は、本実施例における買物の精算フローの斜視図を示したものである。
【００７８】
先ず、図１３（ａ）に示すように、顧客Ｈａが、ショッピングカートＧをレジ台３２の側方に位置させ、矢印に示すように移動させる。
この状況を詳細に述べると、ショッピングカートＧの下棚部Ｇｂが、レジ台３２の天板３４の下方に形成されている抉り部３２ａ内に入り込むように移動し、ショッピングカートＧの上棚部Ｇａが、レジ台３２の天板３４の前方上方を覆うような状況になるように移動させることになる。
【００７９】
すると、図１３（ｂ）に示すように、ショッピングカートＧは、その下棚部Ｇｂが、レジ台３２における本体３３の前方に形成されている抉り部３２ａに入り込み、その上棚部Ｇａが、レジ台３２の天板３４の前方上方を覆うような状況になるので、レジ担当者Ｊは、矢印に示すように、あらかじめ用意した精算用買物籠Ｅａに購入商品Ｆａを移し替えると共に、ＲＦＩＤリーダーＳやバーコードスキャナーＱ等による商品の読み取り、及び、表示操作装置Ｒ、ＰＯＳ端末Ｐの自動釣銭器Ｐｂ等を操作して精算を行う。
【００８０】
次に、図１３（ｃ）に示すように、レジ担当者Ｊは、レジ台３２の天板３４上の購入商品Ｆａの入った買物籠Ｅａを、顧客の移動方向にずらすと共に、空になった買物籠をレジ担当者Ｊの前に移動させて新たな精算用買物籠Ｅａとして使用できるように準備する。
【００８１】
そして、図７（ｄ）に示すように、顧客Ｈａは、矢印で示すようにショッピングカートＧをレジ台３２の前に移動させると共に、購入商品Ｆａの入った精算用買物籠Ｅａを、矢印で示すようにショッピングカートＧの上棚部Ｇａに移し替えて、精算場所から離れることになる。
この時、図示はしないが、別の顧客が精算のために待機しているので、以下同様な精算サイクルが繰り返し行われることになる。
【００８２】
なお、本発明は、これまで説明した各実施例や変形例に限ることなく、趣旨を逸脱しない範囲で変形して実施することが可能である。
【産業上の利用可能性】
【００８３】
本発明は、購入商品の精算時に買物籠の移動がしやすく、しかも、レジ台を小型化できることを特徴としているので、ＯＳ端末の搭載されているレジ台が多数配置されている、スーパーマーケット等の大型の店舗で大いに利用できる。
また、その特性を利用し、小規模商店や、コンビニエンスストア等でも活用することも期待できる。
【符号の説明】
【００８４】
Ｅ  買物籠
Ｅａ  精算用買物籠
Ｆａ、Ｆｂ  購入商品
Ｇ  ショッピングカート
Ｇａ  上棚部
Ｇｂ  下棚部
Ｈａ、Ｈｂ  顧客
Ｊ  レジ担当者
Ｋ  買物籠の底面の短手寸法
Ｎ  天板の奥行寸法
Ｍ、Ｒ  表示操作装置
Ｍａ  本体
Ｍｂ  タッチパネル
Ｍｃ  テンキー
Ｍｄ  読み取り部
Ｍｅａ、Ｍｅｂ  接続部
Ｍｆ  ヒンジ部
Ｍｇ、Ｍｇａ  表示画面
Ｍｈ  表示部
Ｐ  ＰＯＳ端末
Ｐａ  チェックアウト台
Ｐｂ  自動釣銭器
Ｐｃ  接続コード接続部
Ｑ  バーコードスキャナー
Ｓ  ＲＦＩＤリーダー
１、２１、２１ａ、３１  フレーム付きレジ台
２、２２、３２  レジ台
３、２３、３３  本体
４、２４、３４  天板
５、２５、３５  フレーム取り付け穴
６、６ａ、６ｂ、６ｃ、６ｄ、６ｅ、６ｆ、６ｇ、２６  フレーム
６ｘ  収納部
７、７ａ、７ａ’、７ｂ、２７  側部
８、２８  上部
９  表示操作装置受け台
９ａ  挿入穴
９ｂ  収納部
９ｃ  読み取り穴
９ｄ  抜け止め壁
１０  位置決め具
１０ａ  切り込み
１１  取り付けナット
１１ｂ  穴部
１２ａ、１２ｂ  接続コード
１３ａ、１３ｂ  接続端子
１４ａ、１４ｂ  接続端子
１５  カバー部材
１６ａ、１６ｂ  掲示物
２７ａ  切り欠き
２８ａ  位置決め溝
２８ｂ  ネジ部
３２ａ  抉り部
３３ａ  カバー板
【図１】
2019106085.tif 000003
【図２】
2019106085.tif 000004
【図３】
2019106085.tif 000005
【図４】
2019106085.tif 000006
【図５】
2019106085.tif 000007
【図６】
2019106085.tif 000008
【図７】
2019106085.tif 000009
【図８】
2019106085.tif 000010
【図９】
2019106085.tif 000011
【図１０】
2019106085.tif 000012
【図１１】
2019106085.tif 000013
【図１２】
2019106085.tif 000014
【図１３】
2019106085.tif 000015